(57)【要約】【課題】外付けチューナー用のソフトウェアがインストールされていないメディアプレーヤーであっても、放送の受信・再生を可能とする受信装置を提供する。【解決手段】受信装置は、接続部と、アンテナと、アンテナで受信した放送電波に基づき放送メディアファイルを出力するチューナーと、放送メディアファイルを記憶するバッファ部と、外部ストレージとして疑似動作するためのファイル情報を記憶するファイル情報記憶部と、これらを制御する制御部とを備える。制御部は、外部機器に対して外部ストレージである旨を出力させ、放送メディアファイルに基づくファイル情報をファイル情報記憶部に記憶させるとともに当該ファイル情報を外部機器に出力させる。その後ファイル情報に基づく外部機器からの受信要求が入力されると、当該要求に対応した放送メディアファイルをバッファ部に記憶させながら外部機器に出力させる。【選択図】図１
2009164698.tif 000002
【特許請求の範囲】
【請求項１】
外部機器と接続される接続部と、
放送電波を受信するアンテナと、
前記アンテナで受信した放送電波に基づき放送メディアファイルを出力するチューナーと、
前記チューナーから出力された前記放送メディアファイルを記憶するバッファ部と、
前記外部機器に対する外部ストレージとして疑似動作するためのファイル情報を記憶するファイル情報記憶部と、
前記接続部、前記チューナー、前記バッファ部及びファイル情報記憶部を制御する制御部とを備え、
前記制御部は、前記接続部に前記外部機器が接続されると、当該外部機器に対して外部ストレージである旨の信号を出力させ、前記放送メディアファイルに対応するファイル情報を前記ファイル情報記憶部に記憶させるとともに、当該ファイル情報を前記外部機器に出力させ、
その後、前記ファイル情報に基づく前記外部機器からの前記放送メディアファイルの受信要求が入力されると、当該要求に対応した前記放送メディアファイルを前記バッファ部に記憶させながら、前記外部機器に出力させることを特徴とする受信装置。
【請求項２】
請求項１記載の受信装置において、
前記ファイル情報は、前記放送電波を配信する放送局の放送局情報と、前記放送メディアファイルのアドレス情報とを有することを特徴とする受信装置。
【請求項３】
請求項１又は２記載の受信装置において、
複数の圧縮方式のうち、いずれかを選択するための圧縮方式選択スイッチと、
前記チューナーから出力された前記放送メディアファイルを前記複数の圧縮方式のそれぞれで圧縮可能であり、前記圧縮方式選択スイッチで選択された前記圧縮方式で前記放送メディアファイルを圧縮し、前記制御部に出力する圧縮方式コンバータとを備えることを特徴とする受信装置。
【発明の詳細な説明】
【技術分野】
【０００１】
本発明は、外部の機器と接続される受信装置に関する。
【背景技術】
【０００２】
近年、デジタル形式の音声や静止画、動画といったファイルを再生可能な携帯メディアプレーヤーが知られている（例えば特許文献１参照）。図６は、従来の携帯メディアプレーヤー１００の主制御構成を示すブロック図である。この図６に示すように、従来の携帯メディアプレーヤー１００には、外部ストレージ２００が接続される外部インターフェイス１０１と、各種指示が入力される操作部１０２と、符号化されたオーディオデータやビデオデータを記憶する内部ストレージ１０３と、圧縮されたオーディオデータを元のデータに伸張するオーディオデコーダ１０４と、伸張されたデジタルなオーディオデータをアナログ信号に変換するオーディオＤ／Ａコンバータ１０５と、アナログ変換されたオーディオデータを基に音声を出力する音声出力部１０６と、圧縮されたビデオデータを元のデータに伸張するビデオデコーダ１０７と、伸張されたデジタルなビデオデータをアナログ信号に変換するビデオＤ／Ａコンバータ１０８と、アナログ変換されたビデオデータを基に動画を出力するモニタ１０９と、これらを制御する制御部１１０とが備えられている。
【０００３】
例えば、外部インターフェイス１０１を介して外部ストレージ２００からメディアファイルが入力されると、制御部１１０は、メディアファイルをオーディオデータとビデオデータに分解し、それぞれオーディオデコーダ１０４、ビデオデコーダ１０７に出力する。
その後、オーディオデータは、オーディオデコーダ１０４で伸張されてから、オーディオＤ／Ａコンバータ１０５でアナログ変換されて、音声出力部１０６で出力される。一方、ビデオデータは、ビデオデコーダ１０７で伸張されてから、ビデオＤ／Ａコンバータ１０８でアナログ変換されて、モニタ１０９で出力される。
【０００４】
制御部１１０は、ＣＰＵ、ＲＯＭ、ＲＡＭからなり、ＲＯＭに記録されたソフトウェアプログラムをＲＡＭに展開してＣＰＵにより当該プログラムを実行することで、各種処理を施すようになっている。ここで、図７を参照し、制御部１１０で実行されるソフトウェアについて説明する。
【０００５】
内部ストレージドライバ１１１は、内部ストレージ１０３にアクセスするためのソフトウェアであり、例えばＮＡＮＤ型フラッシュメモリドライブドライバに相当する。インターフェイス通信ドライバ・プロトコル１１２は、外部インターフェイス１０１の制御を行うためのソフトウェアであり、外部ストレージドライバ１１３は、外部インターフェイス１０１に接続された外部ストレージ２００にアクセスするためのソフトウェアであり、これらは例えばＳＤカードドライバ、ＳＤカードインターフェイスプロトコルやＵＳＢドライバ・ストレージプロトコルに相当する。
【０００６】
ファイルシステム１１４は、外部ストレージ２００や内部ストレージ１０３内にあるファイルの管理をするソフトウェアである。ファイルの管理とは、ファイルの作成、移動、削除、読み込み、書き出し、ファイルの記録位置管理、ファイル名やアクセス権等の管理のことである。
【０００７】
デマルチプレクサ１１５は、メディアファイルからオーディオデータ、ビデオデータ、メタデータを分離するためのソフトウェアである。メタデータとは、メディアのタイトル名などユーザに通知するための情報と、フレームレートや画面サイズ、サンプリングレートなどのメディアの再生制御に必要な情報等を含んだデータである。
【０００８】
オーディオデコーダ１１６及びビデオデコーダ１１７は、それぞれ圧縮データを伸張処理するためのコンポーネントである。伸張処理は、ハードウェア若しくはソフトウェアで行うようになっている。
【０００９】
オーディオ／ビデオコントロール１１８は、ユーザからの入力やメタデータの制御情報、オーディオ／ビデオデコーダ１０４，１０７，１１６，１１７からのフィードバックを基に、オーディオデータとビデオデータの再生制御を行う。
【００１０】
ユーザインターフェイス制御１１９は、操作部１０２からの入力を受け付け、ユーザにモニタ１０９を通じてメタデータなどの必要な情報の表示を行うソフトウェアである。
操作部ドライバ１２０は、操作部１０２を制御するためのソフトウェアであり、モニタドライバ１２１は、モニタ１０９を制御するためのソフトウェアである。
【特許文献１】特開２００５−２５２３７５号公報
【発明の開示】
【発明が解決しようとする課題】
【００１１】
ところで、近年においてはテレビ放送やラジオ放送を視聴可能な携帯メディアプレーヤーが開発されているが、放送視聴機能を搭載していない携帯メディアプレーヤーで放送を受信することはできないのが実状であった。
【００１２】
これは、以下のハードウェア、ソフトウェアの両方の事情に起因する。
ハードウェアの事情としては、上述したようにそもそも携帯メディアプレーヤー１００には放送受信用のチューナーが内蔵されていないので、当然放送を受信することができない。また、外付けチューナーを接続しようとしても、その外付けチューナーと物理的かつ電気的に繋がりメディアデータを転送できるインターフェイスが、携帯メディアプレーヤー側に実装されていない。
【００１３】
次に、ソフトウェアの事情について説明する。
例えばＵＳＢ端子に接続するＰＣ用のテレビチューナなどのような、携帯メディアプレーヤーの外部インターフェイス１０１に対して物理的且つ電気的に接続可能な携帯用の外付けチューナーがあったとしても、携帯メディアプレーヤー側に外付けチューナを動作させるためのソフトウェアが搭載されていないために、放送の受信・再生は不可能である。
【００１４】
上記の外付けチューナーを例示すると、ＵＳＢを通じてホスト（携帯メディアプレーヤー）からコマンドを受け取りチューニングして、受信した放送データストリーム（トランスポートストリーム）をＵＳＢ経由でホストに転送する。このチューナーとの通信プロトコルは、ＵＳＢメモリの通信プロトコルとは異なるため、チューナーを動作可能にするためには、ホストにチューナー用の外部インターフェイスプロトコルを実装しなければならない。
また、ホストには、チューナー制御、受け取った放送メディアファイルの分解・解析、メディアデータの再生制御を行うためにチューナー用アプリケーションが必要である。
【００１５】
つまり、放送視聴機能を搭載していない携帯メディアプレーヤーであると、仮に外付けチューナーを物理的且つ電気的に接続できたとしても、上記した外部インターフェイスプロトコルやチューナー用アプリケーションが必要であるが、これらを購入後インストールすることはできないために、結局ユーザは放送視聴機能を搭載した携帯メディアプレーヤーを購入しなければならなかった。
【００１６】
このため、本発明の課題は、外付けチューナー用のソフトウェアがインストールされていないメディアプレーヤーであっても、放送の受信・再生を可能とするストレージ型チューナーを提供することである。
【課題を解決するための手段】
【００１７】
請求項１記載の発明における受信装置は、
外部機器と接続される接続部と、
放送電波を受信するアンテナと、
前記アンテナで受信した放送電波に基づき放送メディアファイルを出力するチューナーと、
前記チューナーから出力された前記放送メディアファイルを記憶するバッファ部と、
前記外部機器に対する外部ストレージとして疑似動作するためのファイル情報を記憶するファイル情報記憶部と、
前記接続部、前記チューナー、前記バッファ部及びファイル情報記憶部を制御する制御部とを備え、
前記制御部は、前記接続部に前記外部機器が接続されると、当該外部機器に対して外部ストレージである旨の信号を出力させ、前記放送メディアファイルに対応するファイル情報を前記ファイル情報記憶部に記憶させるとともに、当該ファイル情報を前記外部機器に出力させ、
その後、前記ファイル情報に基づく前記外部機器からの前記放送メディアファイルの受信要求が入力されると、当該要求に対応した前記放送メディアファイルを前記バッファ部に記憶させながら、前記外部機器に出力させることを特徴とする受信装置。
【００１８】
請求項２記載の発明は、請求項１記載の受信装置において、
前記ファイル情報は、前記放送電波を配信する放送局の放送局情報と、前記放送メディアファイルのアドレス情報とを有することを特徴としている。
【００１９】
請求項３記載の発明は、請求項１又は２記載の受信装置において、
複数の圧縮方式のうち、いずれかを選択するための圧縮方式選択スイッチと、
前記チューナーから出力された前記放送メディアファイルを前記複数の圧縮方式のそれぞれで圧縮可能であり、前記圧縮方式選択スイッチで選択された前記圧縮方式で前記放送メディアファイルを圧縮し、前記制御部に出力する圧縮方式コンバータとを備えることを特徴としている。
【発明の効果】
【００２０】
本発明によれば、接続部に外部機器が接続されると、当該外部機器に対して外部ストレージである旨の信号が出力されているので、外部機器側では受信装置が外部ストレージとして擬似的に認識されることになる。
そして、受信装置からは放送メディアファイルに対応するファイル情報をも外部機器に出力されているので、外部機器側では放送メディアファイルを、通常のストレージに記憶されたメディアデータとして扱うことが可能となる。
そして、ファイル情報に基づく外部機器からの放送メディアファイルの受信要求が入力されると、受信装置では、要求に対応した放送メディアファイルをバッファ部に記憶させながら、外部機器に出力させているので、外部機器側で放送を再生することが可能となる。
これらのことにより、外付けチューナー用のソフトウェアがインストールされていないメディアプレーヤーであっても、放送の受信・再生が可能となる。
【発明を実施するための最良の形態】
【００２１】
以下、図を参照にして本発明の実施形態について説明する。図１は本発明に係る受信装置としてのストレージ型チューナーの主制御構成を示すブロック図である。この図１に示すように、ストレージ型チューナー１には、外部機器としてのホスト２と接続される接続部３と、放送電波を受信するアンテナ４と、アンテナ４で受信した放送電波に基づき放送メディアファイルを出力するチューナー５と、チューナー５から出力された放送メディアファイルを記憶するバッファ部６と、ホスト２に対する外部ストレージとして疑似動作するためのファイル情報を記憶するファイル情報記憶部７と、接続部３、チューナー５、バッファ部６及びファイル情報記憶部７を制御する制御部８とが備えられている。ここで、ホスト２は例えば図６に示した携帯メディアプレーヤー１００である。
【００２２】
接続部３は、ホスト２の外部インターフェイス１０１と同型式の端子構造となっている。端子構造としては、例えばＵＳＢ形式や、ｍｉｎｉ  ＵＳＢ形式、ＳＤカード形式等が挙げられる。
【００２３】
チューナー５は、アンテナ４で受信した放送電波から受信可能な放送局をスキャンし、そのスキャンにより取得した各放送局の放送電波からＦＡＴ（File Allocation Tables：本発明に係るファイル情報）を作成し、制御部８を介してファイル情報記憶部７に出力する。この際、チューナー５は、ファイル名を放送局名（放送局情報）とし、ファイルサイズを本ストレージ型チューナー１の擬似的ストレージ容量を放送局数で割った値に設定する。また、チューナー５は、設定したファイルサイズ分ストレージのブロックに割り振ったと仮定し、クラスタ（図３参照）のアドレス情報をＦＡＴに設定する。これにより、ＦＡＴは、放送局の放送局情報と、放送メディアファイルのアドレス情報とを有することになる。ここで、クラスタとは、ホスト２が外部ストレージ（ストレージ型チューナー１）にアクセスするための最小単位のことであり、アドレス情報とは、ファイルが外部ストレージのどこに存在するかの情報のことである。
【００２４】
そして、チューナー５は、放送局から送信されている放送電波から、放送メディアファイル（ビデオデータ、オーディオデータ、メタデータ）を、制御部８を介してバッファ部６に出力する。
【００２５】
バッファ部６は、例えば第１バッファ６１、第２バッファ６２のように複数の記憶領域を有しており、チューナー５から入力された放送メディアファイルを一時的に記憶し、制御部８を介して入力されたホスト２の要求に基づいて出力する。
【００２６】
制御部８は、接続部３にホスト２が接続されると、当該ホスト２に対して外部ストレージである旨の信号を出力させ、チューナー５で作成されたＦＡＴをファイル情報記憶部７に記憶させるとともに、当該ＦＡＴをホスト２に出力させる。その後、制御部８は、ＦＡＴに基づくホスト２からの放送メディアファイルの受信要求が入力されると、当該要求に対応した放送メディアファイルをバッファ部６に記憶させながら、ホスト２に出力させる。
【００２７】
以下、具体的に本実施形態の作用について図２を参照にして説明する。
まず、ストレージ型チューナー１の接続部３と、ホスト２の外部インターフェイス１０１とを接続すると（ステップＳ１）、ホスト２側の制御部１１０は、デバイスが接続されたことを認識する（ステップＳ２）。この時点では、ホスト２の制御部１１０は、デバイスの役割を認識していないために、ストレージ型チューナー１との初期化通信を開始する。
【００２８】
ステップＳ３では、ホスト２からの初期化通信を受けると、ストレージ型チューナー１の制御部８は、自分の役割が外部ストレージである旨の信号をホスト２に通知する。これにより、ホスト２はストレージ型チューナー１を外部ストレージとして擬似的に認識することになる（ステップＳ４）。そして、ホスト２の制御部１１０は、外部ストレージドライバ１１３により外部ストレージをサポートしているために、ストレージ型チューナー１を対応機器として認識する。
【００２９】
ステップＳ５では、ホスト２の制御部１１０から外部ストレージの情報要求が送られるので、ストレージ型チューナー１の制御部８は、擬似的なストレージ容量（例えば１ＧＢ）等の情報を通知する（ステップＳ６）。
【００３０】
ステップＳ７では、ストレージ型チューナーの制御部８は、チューナー５を制御して、受信可能な放送局のスキャンを開始する。ここでは、例えばスキャンの結果、放送局１〜５の５局の受信が可能となったものとする。
制御部８は、図３に示すように各放送局１〜５に対応したＦＡＴを作成して、ファイル情報記憶部７に記憶し、ホスト２に転送する（ステップＳ８）。この際、ファイル名は放送局名（例えばＮＨＫ）として、ファイルサイズはホスト２に通知した擬似的なストレージ容量を受信放送局数で割ったものに設定する。つまり、上記の例では、１ＧＢ／５＝２００ＭＢとなる。そして、制御部８は、ファイルサイズ分ストレージのブロックを割り振ったものと仮定して、クラスタのアドレス情報をＦＡＴに設定する（図３参照）。
【００３１】
ステップＳ９では、ホスト２の制御部１１０は、ストレージ型チューナー１からＦＡＴを読み込み、放送局１〜５の名前が付けられた５つのファイル（放送メディアファイル）の情報を取得する。この５つの放送メディアファイルは、図４に示すようにホスト２からすると、内部ストレージ１０３に存在する通常のビデオデータや、オーディオデータと同様に外部ストレージ（ストレージ型チューナー１）に存在するファイルとして扱われることになる。ホスト２の制御部１１０は、受信したＦＡＴ情報を基に放送メディアファイルの各種情報をモニタ１０９に出力する。
【００３２】
ステップＳ１０では、ユーザがモニタ１０９の表示内容を基に、操作部１０２を操作して所望の放送局（例えば放送局１）を選択すると、ホスト２の制御部１１０は、当該放送局１のＦＡＴ情報を基に、放送メディアファイルを送るように、ストレージ型チューナー１に要求を行う。この際、制御部１１０は、ＦＡＴ情報を基に放送局１の放送メディアファイルの先頭クラスタＮのデータを送るように要求する。要求を受けた制御部８は、放送局１の放送電波を受信できるようにチューナー５を設定する（チューニング動作：ステップＳ１１）。
【００３３】
ステップＳ１２では、ストレージ型チューナー１の制御部８は、ホスト２で要求された放送局１の放送メディアファイルをチューナー５から出力させて、当該放送メディアファイルを第１バッファ６１に記憶させる。第１バッファ６１が一杯になると、制御部８は、ホスト２から要求されているクラスタＮのデータとして、第１バッファ６１内の放送メディアファイルをホスト２に転送する。第１バッファ６１の放送メディアファイルを転送している間にも、チューナー５からは新たな放送メディアファイルが出力されているので、制御部８は、保存先を第２バッファ６２に切り替える。
ここで、ホスト２からの要求（ステップＳ１０）と、バッファ部６からの放送メディアファイルの出力（ステップＳ１２）との間には、かなり長い待ち時間が発生する場合があるため、バッファ部６内にデータがなくとも、ダミーのデータ（例えば放送局名の画像や「しばらくお待ちください」の映像）を出力してもよい。
【００３４】
ステップＳ１３では、ホスト２の制御部１１０は、ストレージ型チューナー１から取得した放送メディアファイルをビデオデータ、オーディオデータ、メタデータに分解する。その後、制御部１１０は、メタデータに従いつつ、ビデオデータとオーディオデータとをそれぞれビデオデコーダ１０７、オーディオデコーダ１０４に入力して、両データに伸張処理を施し、映像と音声としてモニタ１０９及び音声出力部１０６から出力させる。この際、必要ならば、メタデータもモニタ１０９に表示させるようにしてもよい。
【００３５】
ステップＳ１４では、ホスト２の制御部１１０は、引き続き同じ放送メディアファイルの続きが転送されるように、ストレージ型チューナー１に要求を行う。具体的には制御部１１０は、放送メディアファイルの次のクラスタ（例えばクラスタＮ＋１）のデータを要求する。
【００３６】
ステップＳ１５では、ストレージ型チューナー１の制御部８は、第２バッファ６２が一杯になったら、ホスト２からの要求に基づき次のクラスタＮ＋１のデータとして、第２バッファ６２内の放送メディアファイルをホスト２に転送する。第２バッファ６２の放送メディアファイルを転送している間にも、チューナー５からは新たな放送メディアファイルが出力されているので、制御部８は、保存先を第１バッファ６１に切り替える。
【００３７】
ステップＳ１６では、ホスト２の制御部１１０は、ストレージ型チューナー１から取得した放送メディアファイルをビデオデータ、オーディオデータ、メタデータに分解する。その後、制御部１１０は、メタデータに従いつつ、ビデオデータとオーディオデータとをそれぞれビデオデコーダ１０７、オーディオデコーダ１０４に入力して、両データに伸張処理を施し、映像と音声としてモニタ１０９及び音声出力部１０６から出力させる。
【００３８】
このステップＳ１２からステップＳ１６を繰り返すことにより、放送メディアファイルの連続再生が実現される。なお、他の放送局を受信する場合には、ステップＳ１０からやり直すことになる。
【００３９】
ステップＳ１７では、ユーザにより操作部１０２が操作されて再生の停止が入力されると、ホスト２の制御部１１０は、放送メディアファイルの受信要求を停止する。ストレージ型チューナー１の制御部８は、受信要求が一定時間ない場合、再生停止と判断して、放送受信動作を停止する（ステップＳ１８）。
【００４０】
以上のように、本実施形態によれば、接続部３にホスト２が接続されると、当該ホスト２に対して外部ストレージである旨が出力されているので、ホスト２側ではストレージ型チューナー１が外部ストレージとして擬似的に認識されることになる。
そして、ストレージ型チューナー１からは制御部８で作成されたＦＡＴをもホスト２に出力されているので、ホスト２側では放送メディアファイルを、通常のストレージに記憶されたメディアデータとして扱うことが可能となる。
そして、ＦＡＴに基づくホスト２からの放送メディアファイルの受信要求が入力されると、ストレージ型チューナー１では、要求に対応した放送メディアファイルをバッファ部６に記憶させながら、ホスト２に出力させているので、ホスト２側で放送を再生することが可能となる。
これらのことにより、外付けチューナー用のソフトウェアがインストールされていないメディアプレーヤーであっても、放送の受信・再生が可能となる。
【００４１】
なお、本発明は上記実施形態に限らず適宜変更可能であるのは勿論である。
例えば、ホストである携帯メディアプレーヤーで再生可能なデジタル圧縮方式と、デジタル放送で採用されているデジタル圧縮方式とが異なってしまう場合も今後想定される。ここで、デジタル圧縮方式が異なるというのは、携帯メディアプレーヤー側では、デジタルビデオ圧縮方式として例えばＭＰＥＧ１にしか対応していないにも関わらず、放送のデジタルビデオ圧縮方式がＨ．２６４であるケースである。これに対処すべく、図５に示すように、複数の圧縮方式のうち、いずれかを選択するための圧縮方式選択スイッチ１０と、チューナー５から出力された放送メディアファイルを複数の圧縮方式のそれぞれで圧縮可能であり、圧縮方式選択スイッチ１０で選択された圧縮方式で放送メディアファイルを圧縮し、制御部８に出力する圧縮方式コンバータ９とを、ストレージ型チューナー１Ａに搭載する。
【００４２】
本実施形態では、携帯メディアプレーヤーの表示部に放送局名表示し、ユーザに所望の放送局を選択させたが、放送局名に変えて番組名を携帯メディアプレーヤー宛に送信し、携帯メディアプレーヤーの表示部に表示させ選択させるようにしてもよい。この場合、受信装置は放送局をスキャンするタイミング（ステップＳ７）でＥＰＧ情報もあわせて取得し、当該ＥＰＧ情報に基づき番組名を列挙したＦＡＴを作成する。なお、番組名とともに放送局名、両方を含んだＦＡＴを作成してもよいし、どちらか一方でもよい。またＥＰＧの番組情報は現在放送中の番組だけでなく、今後放送予定の番組も含んで送信されるため、次の放送の開始時間情報に基づき、ＦＡＴの番組名情報を適宜変更することが望ましい。
【００４３】
圧縮方式選択スイッチ１０は、例えば、機械スイッチ、電気スイッチ、ソフトウェア的なスイッチにより構成されていて、ユーザによってホスト２側のデジタル圧縮方式が選択されるようになっている。
【００４４】
圧縮方式コンバータ９は、例えば、放送メディアファイルをバッファ部６に保存する際や、バッファ部６からホスト２に放送メディアファイルを出力する際などに、当該放送メディアファイルを圧縮方式選択スイッチ１０で選択された圧縮方式で圧縮する。
これにより、ホストである携帯メディアプレーヤーで再生可能なデジタル圧縮方式と、デジタル放送で採用されているデジタル圧縮方式とが異なっていても、ホスト２での放送メディアファイルの再生が可能となる。
【図面の簡単な説明】
【００４５】
【図１】本実施形態に係るストレージ型チューナーの主制御構成を示すブロック図である。
【図２】図１のストレージ型チューナーと、ホストの動作とを示す説明図である。
【図３】図１のストレージ型チューナーが提供するＦＡＴとクラスタを示す説明図である。
【図４】図１のホスト側から見た放送メディアファイルを示す説明図である。
【図５】図１のストレージ型チューナーの変形例を示すブロック図である。
【図６】従来の携帯メディアプレーヤーの主制御構成を示すブロック図である。
【図７】図６の携帯メディアプーヤーのソフトウェア構成を示す説明図である。
【符号の説明】
【００４６】
１      ストレージ型チューナー（受信装置）
２      ホスト（外部機器）
３      接続部
４      アンテナ
５      チューナー
６      バッファ部
７      ファイル情報記憶部
８      制御部
【図１】
2009164698.tif 000003
【図２】
2009164698.tif 000004
【図３】
2009164698.tif 000005
【図４】
2009164698.tif 000006
【図５】
2009164698.tif 000007
【図６】
2009164698.tif 000008
【図７】
2009164698.tif 000009